(57)【要約】錠剤若しくはその類似物用チャイルドプルーフパッケージは、少なくとも一つのブリスターを有するブリスターパックにより特徴付けられる。ブリスターは、押し開けタイプの薄膜蓋部により閉じられ錠剤を収容する機能を果たす。ブリスターパックの押し開けタイプ薄膜蓋部は、壁部に対して配置され、ブリスターは、スライドすることにより、壁部に対して移動することができ、それにより、開放位置において、ブリスターは、壁部内の開口部に一致するように配置され、錠剤は、この開口部から押し出される。ブリスターパックは、後壁部と前壁部との間に配置され、開口部を有する壁部は、後壁部と薄膜蓋部との間に配置される。ブリスターは、開口スリットをスライドして移動し、内壁部内の開口部は、後壁部内の切り取りストリップにより覆われており、このストリップは、弱部ラインに沿って後壁部から分離することができ、そのことにより縦方向スリットが形成される。
2005503964.tif 000002
【特許請求の範囲】
【請求項１】
少なくとも一つのブリスターを有するブリスターパックを備えた薬剤用チャイルドプルーフパッケージであって、
前記ブリスターが、押し開けタイプの薄膜蓋部により閉じられて、薬剤を収容する機能を果たし、
薬剤を取り出す目的で、前記ブリスターパックの押し開けタイプ薄膜蓋部が、壁部に対向して配置され、前記ブリスターパックは、閉鎖位置から開放位置へスライドすることにより、前記壁部に対して移動し、前記開放位置にあるとき、錠剤を有するブリスターは、壁部の開口部に一致するように配置され、前記薬剤を開口部から押し出すことができるようにパッケージされた薬剤用チャイルドプルーフパッケージにおいて、
前記ブリスターパックが、後壁部及び前部の間に配置され、前記開口部を有する壁部が、前記後壁部と前記薄膜蓋部との間に配置された内壁部であり、前記少なくとも一つのブリスターが、開口スリットの中を閉鎖位置から開放位置へスライドすることにより移動することができ、前記内壁部の前記開口部が切り取りストリップにより覆われ、前記切り取りストリップは、前記後壁部内に配置され、さらに弱部ラインに沿って前記後壁部から分離することができ、それにより縦方向スリットを形成することを特徴とするパッケージ。
【請求項２】
前記開口スリットが、前記閉鎖位置と前記開放位置との間に狭部を有し、スライドによる前記ブリスターの移動に対して抵抗を増加させることを特徴とする請求項１記載のパッケージ。
【請求項３】
前記内壁部内の開口部が、押し開け可能なクロージャー手段により覆われていることを特徴とする請求項１記載のパッケージ。
【請求項４】
前記内壁部が、プラスティック材料から形成された保護層により覆われていることを特徴とする請求項１記載のパッケージ。
【請求項５】
前記内壁部は、多層部であり、前記多層部は、前記薄膜蓋部に面する内側層と、前記後壁部に面する外側層とを備え、前記内側層は、押し開け可能な開口クロージャーを有し、前記外側層は、前記開口クロージャー上に配置されさらに輪状領域により囲まれた開口部を含み、前記輪状領域は、複数のセクタに分割され、前記セクタは、前記内側層に接着されず、さらに、開口クロージャーが押し開けられたとき、内壁部から王冠状に突出することを特徴とする請求項１記載のパッケージ。
【請求項６】
前記切り取りストリップは、後壁部の端部で終端する把持用フランジを備え、
該把持用フランジは、前記端部が折り曲げられると、該端部から開放されて突出し、２本の指によりつかむことができることを特徴とする請求項１記載のパッケージ。
【請求項７】
前記パッケージが、互いに折り曲げることができる長片状のカードを備え、
折り曲げられた状態において、一方の端部が、第一の折線に沿って中央部に折り曲げられ、第二の折線に沿って折り曲げられた蓋部により覆われていることを特徴とする請求項１記載のパッケージ。
【請求項８】
ブリスターパックが、前記中央部に配列され、さらに端部にも配置されることを特徴とする請求項６記載のパッケージ。
【請求項９】
前記開口スリットが、前記切り取りストリップと垂直に配置されていることを特徴とする請求項１記載のパッケージ。
【請求項１０】
前記開口スリットが、前記切り取りストリップと平行に、かつ、前記切り取りストリップに覆われるように配置されることを特徴とする請求項１記載のパッケージ。
【請求項１１】
前記切り取りストリップの領域を定めるために前記後壁部内に設けられた弱部ラインが、ミシン線であることを特徴とする請求項１記載のパッケージ。
【請求項１２】
少なくとも一つのブリスターを有するブリスターパックを備えた薬剤用チャイルドプルーフパッケージであって、
前記ブリスターは、押し開けタイプの薄膜蓋部により閉じられて、薬剤を収容する機能を果たすパッケージにおいて、
前記薬剤を取り出すために、前記ブリスターパックの押し開けタイプ薄膜蓋部が、壁部に対して配置され、前記ブリスターパックが閉鎖位置から開放位置へとスライドすることにより、前記壁部に対して移動することができ、前記閉鎖位置では、前記ブリスターが、前記後壁部の頑丈な領域に近接して配置され、前記開放位置では、前記薬剤を有するブリスターは、前記壁部内の切り取りストリップと一致するように配置され、それにより、前記切り取りストリップが取り外され、前記壁部に開口部が形成されるとき、前記薬剤は、前記薄膜蓋部及び前記壁部内の開口部から押し出されることを特徴とするパッケージ。
【請求項１３】
前記ブリスターパックは、前記被覆用壁部と前部との間に配置され、前記少なくとも一つのブリスターは、前部内の開口スリットの中を前記閉鎖位置から前記開放位置にスライドすることにより移動し、さらに、前記開口スリットが、前記閉鎖位置と前記開放位置との間に狭部を備え、スライドによる前記ブリスターの移動に対して抵抗を増加させることを特徴とする請求項１２記載のパッケージ。
【請求項１４】
前記切り取りストリップは、前記後壁部の端部で終端する把持用フランジを備え、
該把持用フランジは、前記端部が折り曲げられると、該端部から開放されて突出し、２本の指によりつかむことができることを特徴とする請求項１２記載のパッケージ。
【請求項１５】
前記開口スリットが、前記切り取りストリップに対して垂直に配列されたことを特徴とする請求項１２記載のパッケージ。
【請求項１６】
前記切り取りストリップの領域を定めるために前記後壁部に設けられた弱部ラインが、ミシン線であることを特徴とする請求項１２記載のパッケージ。
【請求項１７】
少なくとも一つのブリスターを有するブリスターパックを備えた薬剤用チャイルドプルーフパッケージであって、
該ブリスターは、押し開けタイプの薄膜蓋部により閉じられて、薬剤を収容する機能を果たし、
前記ブリスターパックの押し開けタイプ薄膜蓋部が、被覆用壁部に対して配置されるようにパッケージされた薬剤用チャイルドプルーフパッケージにおいて、
前記被覆用壁部が、前記薄膜蓋部に面する内側層と、外側層とを備える多層部であり、
前記内側層が、押し開け可能な開口クロージャーにより覆われた開口部を有し、前記外側層が、開口クロージャー上に配置されさらに輪状領域により囲まれた開口部を有し、前記輪状領域が、前記内側層に接着されていないことを特徴とするパッケージ。
【請求項１８】
前記外側層の開口部が、前記クロージャーより小さいことを特徴とする請求項１７記載のパッケージ。
【請求項１９】
前記輪状領域が、複数のセクタに分割され、前記セクタは、前記内部層に接着されず、また、前記開口クロージャーが押し開けられるとき、内壁部から王冠状に突出することを特徴とする請求項１７記載のパッケージ。
【請求項２０】
後壁部は、前記外側層に近接するように配置され、また前記被覆用壁部に面し、前記被覆用壁部の開口部は、切り取りストリップにより覆われ、前記切り取りストリップは、前記後壁部に配置され、さらに弱部ラインに沿って前記後壁部から分離することができ、そのことにより縦方向スリットを形成することを特徴とする請求項１7記載のパッケージ。
【発明の詳細な説明】
【０００１】
（技術分野）
本発明は、固体、微粉砕粉末、液体から粉状薬剤の形態をとる薬剤、例えば、錠剤、カプセル、アンプル若しくは糖衣錠などの薬剤用のチャイルドプルーフパッケージに関する。また、本発明は、少なくとも一つのブリスターを有するブリスターパックにより特徴付けられ、このブリスターは、押し開けタイプの薄膜蓋部により閉じられており、薬剤を収容する機能を果たす。薬剤を取り出すために、ブリスターパックの押し開けタイプの薄膜蓋部は、壁部に対して配置され、ブリスターは、閉鎖位置から開放位置へスライドして、壁部に対して移動することができ、この開放位置においては、薬剤を有するブリスターは、前記壁部の開口部に一致するように配置され、薬剤は、この開口部から押し出されるようにパッケージされている。
【０００２】
（背景技術）
制御することなく薬を消費することが危険であることは、異論のないことである。特に小さな子供は、床に転がったままの薬剤によりこの潜在的な危険性にとりわけ晒される。
錠剤若しくはこれに類似の薬剤用パッケージの最も一般的な形態は、ブリスターパックのものである。特に、パックの基本位置にあるカップ（いわゆるブリスター）から薄膜蓋部を錠剤が押し出されるようないわゆる押し開けパックが広く知られている。ブリスターパックの他の既知の形態は、蓋部を剥ぎ取ることにより、薄膜蓋部が取り外されるものである。他のブリスターパックは、引きちぎるための補助となるような刻み目を特徴とするものもある。
【０００３】
現在、ブリスターパックに関連する子供の安全を向上させるために、主に、強度をより大きくしたり、即ち押し開けタイプのフィルムをより厚くしたり、フィルムを剥がすための付着力をより大きくしたり、若しくは刻み目を引きちぎる場合に摩擦力をより大きくすることにより、開口することを難しくしている。
より大きな力を加えなければ開けられないパッケージの形態は、実際、子供を寄せ付けることはないけれども、老人にとっては問題がある。
【０００４】
子供を寄せ付けないようなパッケージの形態が、国際特許出願ＷＯ-Ａ-９６／０３３２９により知られている。上記パッケージにおいて、ブリスターパックの蓋部は、後壁部により覆われている。弱部ラインに沿って取り外すことができる切り取りストリップが、この後壁部に取り付けられている。錠剤を、蓋部フィルムを介してブリスターから押し出すことができるように、最初この切り取りストリップを取り外さなければならない。
本明細書の最初の部分で述べたチャイルドプルーフパッケージが、１９９２年９月２９日に、ＰＣＩ／Ｄｅｌｖｃｏ  Ｉｎｃ．により開示された米国特許５,１５０,７９３号に記載されている。
【０００５】
（発明の開示）
本発明は、パッケージを開けるために組み合わせることが必要であるか、若しくは同時に連続運動を実行しなければならないか又は複雑な連続運動を実行しなければならないようなパッケージであって、本明細書の最初の部分に記載されたパッケージを提供することを目的とする。
【０００６】
第一の発明では、押し開けタイプの薄膜蓋部により閉じられた少なくとも一つのブリスターを有するブリスターパックを備え、このブリスターは、薬剤を収容する機能を果たし、薬剤を取り出すために、ブリスターパックの押し開けタイプの薄膜蓋部は、壁部に対して配置され、このブリスターパックは、閉鎖位置から開放位置へとスライドすることにより、この壁部に対して移動し、開放位置にあるとき、薬剤を有するブリスターは、壁部の開口部に一致するように配置され、薬剤を、開口部から押し出すことができるようにパッケージされたチャイルドプルーフパッケージであって、このブリスターパックは後壁部と前部間に配置され、開口部を有する壁部は、後壁部と薄膜蓋部の間に配置される内壁部であり、ブリスターは、閉鎖位置から開放位置へスライドして、開口スリットを移動し、内壁部の開口部は、切り取りストリップにより覆われ、この切り取りストリップは、後壁部に配置され、さらに弱部ラインに沿ってこの後壁部から分離でき、そのことによって縦方向スリットを形成することを特徴とする薬剤用チャイルドプルーフパッケージを提供する。
【０００７】
第二の発明では、押し開けタイプの薄膜蓋部により閉じられた少なくとも一つのブリスターを有するブリスターパックを備え、このブリスターは、薬剤を収容する機能を果たし、薬剤を取り出すために、ブリスターパックの押し開けタイプの薄膜蓋部は、壁部に対して配置され、このブリスターパックは、閉鎖位置から開放位置へとスライドして、壁部に対して移動し、この切り取りストリップが取り外され、壁部に、開口部が形成されるとき、薬剤が薄膜蓋部を介して取り出されるチャイルドプルーフパッケージを提供する。
閉鎖位置では、薄膜蓋部が壁部の頑丈な部分に近接するように配置され、開放位置では、薬剤を含むブリスターが、壁部の切り取りストリップに一致するように配置される。
このブリスターパックは、後壁部と前部との間に配置されることが好ましく、そして、開口部を有する壁部は、後壁部と薄膜蓋部間に配置された内壁部であることが好ましい。ここでは、ブリスターは、閉鎖位置から開放位置にスライドして、開口スリットを移動することができ、内壁部の開口部は、切り取りストリップにより覆われ、この切り取りストリップは、後壁部に配置され、さらに、弱部ラインに沿ってこの後壁部から分離してもよく、これにより、縦方向スリットが形成される。
【０００８】
このように、本発明に係るパッケージは、子供の安全という目的を果たす好ましい要素として、切り取りストリップと、パッケージング内をスライドすることにより移動することができるブリスターパックとを組み合わせている。また、従来の形態のパッケージングより子供の安全性がより高いパッケージング配列とすることができる。
【０００９】
本発明に係るパッケージングを開けるためには、薬剤を押し出すために、ブリスターパックが、ある特定の位置に移動しなければならないこと、及び、パッケージの後壁部から切り取りストリップを取り外すことを組み合わせるスキルが必要である。
【００１０】
パッケージの壁部は、カードボード若しくは、例えば、ＰＶＣ（ポリ塩化ビニル）等のプラスティック材料から構成されていてもよい。この壁部は、単一の層若しくは複数の層であってもよい。ここで、後者としては、カードボードとプラスティック材料とを組み合わせたものであってもよい。
【００１１】
開口スリットは、切り取りストリップに対して垂直に配置してもよい。この場合、ブリスターパックの移動の方向は、切り取りストリップの方向に対して垂直の方向である。パッケージが内壁部を含む実施の形態では、開口スリットは、切り取りストリップに対して平行にまた切り取りストリップに覆われるように並んでいても良い。この場合、ブリスターパックの移動は、切り取りストリップの縦方向である。
【００１２】
前部及び内壁部は、例えば、少なくとも周辺の一部を接着することにより若しくは熱密閉することにより接合されることが好ましい。また、間に配置されたブリスターパックが、開口スリットの縦方向にスライドして移動するように、接合されることが好ましい。切り取りストリップが剥がされるとき、子供が、内壁部から後壁部を引き剥がすことができないよう、後壁部及び内壁部は、切り取りストリップの少なくとも一部若しくは全体を、例えば、接着若しくは熱密閉することにより接合されることが好ましい。
【００１３】
前部の、ブリスターパックに面する側にさらに別の層を取り付けても良い。この付加的な層を、少なくとも一部に、即ち開口スリットの領域に、若しくは全体的に設けても良い。後壁部の、ブリスターパックに面する側に、さらに別の付加的な層を取り付けても良い。この付加的な層は、少なくとも一部（即ち、切り取りストリップの領域）若しくは全体的に設けても良い。付加的な層は、例えばプラスティック材料、好ましくはＰＶＣから形成され、それらは、接着され、熱密閉され、若しくは薄板で覆われても良い。付加的な層は、後壁部に対して前部を引き剥がすことを防止するのに有益である。
【００１４】
子供の安全を向上させるため、開口スリットが、閉鎖位置と開放位置との間に、狭部、破壊可能な障害物若しくは他の適切な手段を備えることにより、ブリスターのスライド移動に対して抵抗を増加させても良い。指により加えられたより大きな力が、開口スリットの狭部におけるブリスターに対する摩擦抵抗より大きくならなければならない。さらに開口スリットを、切り取りストリップにより閉じてもよい。ここで、切り取りストリップは、例えば、弱部ライン、好ましくはミシン線により前部に接合される。ストリップを引き剥がすことにより、開口スリットは開放され、ブリスターは移動することができるようになる。
【００１５】
内壁部の配列により、切り取りストリップを取り外した後でも、ブリスターパックの薄膜蓋部で見ることができないという利点を有する。内壁部における開口部が容易に見れないように、開口部は、押し開け可能な開口クロージャーにより覆われる。この開口クロージャーは、閉じられた弱部ライン例えば刻み目が入れられたライン若しくは踏みつけられたラインにより画定された内壁部の領域であってもよい。
【００１６】
さらに、内壁層の、後壁部に面する側及び／又は内壁層の、プラスティック材料の保護層を備える薄膜蓋部に面する側を被覆することが有利であることが分かる。プラスティック材料は、好ましくはＰＶＣ層である。保護層は、内壁部に薄板を張り合わせたり、熱密閉したり、接着しても良い。その結果、こうすることにより、切り取りストリップを取り除いた後でも、小さな子供が、形成された開口部に特に晒される可能性を取り除くことができる。また、他の後壁部も同様である。
【００１７】
さらに別の発明として、押し開けタイプの薄膜蓋部により閉じられた少なくとも一つのブリスターを有するブリスターパックを備え、このブリスターは、薬剤を収容する目的を果たし、ブリスターパックの押し開けタイプの薄膜蓋部が、被覆している壁部に対して配置され、被覆している壁部は、多層部であり、ブリスターの薄膜蓋部に面する内側層と、外側層とを備えるようにパッケージされる。この外側層は、部分的若しくは全体的に内側層と接着されていても良い。内側層は、弱部ラインにより画定された押し開け開口クロージャーを備える。外側層は、開口クロージャー上に配置された開口部を有する。開口部及び開口クロージャーは、円形であることが好ましく、開口部は、開口クロージャーに同心円状に配置されることが好ましい。外側層の開口部の大きさは、開口クロージャー以下であることが好ましい。外側層は、開口部を囲っている輪状領域により特徴付けられる。外側層の輪状領域は、内側層に接着されていない。輪状領域は、例えば、円形のミシン線などの弱部ラインにより、平面状の外側層に領域が画定されている。輪状領域は、例えば、切り込み部やミシン線などの放射状の弱部ラインを有することが好ましい。この切り込み部やミシン線は、輪状領域を扇形部（セクタ）に分割する。もし、開口部が開口クロージャーより小さければ、開口クロージャーの弱部ラインは、輪状領域の下に保護され、また、薬剤を押し出すとき、それぞれの扇形部は、王冠若しくは花弁の形状に突出する。内側層は、カードボードから形成されることが好ましく、外側層は、例えばＰＶＣなどのプラスティック材料から形成されていることが好ましい。
【００１８】
上述の輪状領域は、子供の気を逸らすための手段を示しており、これは、まず開放された輪状領域、特に開放された扇形部を薄片から引き離すことにより、パッケージを開けようとし、これにより、子供は下にある開口クロージャーにほとんど気を取られない。
【００１９】
後壁部は、被覆している壁部の、後壁部に面する外側層に近接するように配列してもよい。ここで、被覆壁部の開口部は、切り取りストリップにより覆われ、この切り取りストリップは、後壁部に配置され、さらに弱部ラインに沿って後壁部から分離することができ、それによって縦方向スリットを形成する。
【００２０】
本発明のパッケージにおいて、切り取りストリップを特別な形状に形成することにより、子供の安全を向上させることにさらに貢献しても良い。これは、後壁部の端部まで延び、この端部を折り曲げた後のみ、端部から開放され、その後２本の指の間につかむことができるような把持用フランジであることが好ましい。把持用フランジは、穴を開けられたライン若しくはミシン線などの切り込み部又は弱部ラインにより端部から領域を画定され、それにより、端部を曲げた後、把持用フランジは、弱部ラインに沿って開放され、さらに端部から突出する。
【００２１】
パッケージングにおいて、子供の安全を向上させることに対するさらなる貢献として、例えば、バネ付勢要素などの手段を設けてもよい。このバネ付勢要素は、開口スリット内を移動することにより、手を使うことなくブリスターパックを開放位置から閉鎖位置に自動的に戻す。
【００２２】
本発明に係るパッケージは、個々が移動可能であるか、若しくはグループ全体として移動可能である一以上のカップを備えていてもよい。複数のカップを有するブリスターパックのカップは、列状に若しくはカラム状に配列して、列状に若しくはカラム状に移動可能であっても良い。この場合、カップは、カップの列及びカラムに対して水平若しくは垂直に移動可能であっても良い。カップの移動の方向が、カップの列若しくはカラムに対して垂直方向である実施の形態において、列若しくはカラムの移動は、同時に少なくとも２つのカップを押した場合だけ行われることが好ましい。例えば、列若しくはカラム内のカップの一つだけを押してスライド移動させると、このブリスターパックは、斜めに傾き、列若しくはカラムの高々一つのカップだけが、近接する壁内の開口部と一致するように移動する。
【００２３】
本発明に係るパッケージングを、少なくとも一つのカップを有する少なくとも一つのブリスターパックを含む単一のカードの形態で創作しても良い。ここでは、このカップは、列及びカラム状に配列される。さらに、パッケージングを、折り曲げ可能ないくつかの部分を備えるカードであって、ストリップの形状をした折り曲げ可能なカードの形態で創作しても良い。ここで、この部分は、上記のようなブリスターパックを含んでいてもよい。
【００２４】
本発明に係るパッケージングの有益なデザインとして、同時に折り曲げられているストリップ形状のカードが含まれる。この場合、折り曲げられた状態において、一方の端部は、第一折線に沿って中央部に折り曲げられ、第二折線に沿って折り曲げられた蓋部により被覆される。ブリスターパックは、中央部及び端部において設けられることが好ましい。ここで、中央部のブリスターパックは、例えば、朝取ることが意図された第一の錠剤若しくは同様の薬剤の一日分の投与量が含まれ、そして、端部のブリスターパックは、夕刻に取ることが意図された第二の錠剤若しくは同様の薬剤の一日分の投与量が含まれる。
【００２５】
本発明に係るパッケージングの第一のバージョンにおいて、開口スリットは、切り取りストリップと垂直に配置される。第二のバージョンにおいて、開口スリットは、切り取りストリップと垂直に及び切り取りストリップに覆われるように配置される。
【００２６】
切り取りストリップを画定する壁部の弱部ラインは、ミシン線であることが好ましい。
本発明のさらに利点、特徴及び詳細は、次の好ましい具体的な実施の形態の記載において、以下の図面を参照しながら明らかにされている。
【００２７】
（発明を実施するための最良の形態）
錠剤１２若しくは同様な薬剤（例えば、液体を充填したカプセル、若しくは固体を充填したカプセル等）用のパッケージ１０が、図１及び２に示されている。前記パッケージ１０は、細長い矩形（ストリップ形状）をした平面状カードの形状を有し、さらに、互いに折り曲げることが可能な部分を有する。折り曲げられた状態では、部分Ｃは第一の折線ｆに沿って折り曲げられ、第二の折線ｅに沿って折り曲げられた蓋部Ａにより覆われる。このような方法で互いに折り曲げられたパッケージ１０の大きさは、折り曲げられていないストリップ形状のカードの約３分の１である。前記カードは、後壁部１４Ｂ、１４Ｃ及び前壁部１６Ｂ、１６Ｃを備える。
【００２８】
ブリスターパック１８Ｂ及び１８Ｃは、それぞれの場合において、中央部Ｂの後壁部１４Ｂ及び端部Ｃの後壁部１４Ｃと、それらに対応する前部１６Ｂ及び１６Ｃとの間に位置する。前記ブリスターパック１８Ｂ及び１８Ｃは、例えば、ＰＶＣから作製されたブリスターフィルム２０を備える。ブリスター若しくはカップ２２は、前記ブリスターフィルム内において、例えば、熱成形により設けられる。ブリスター２２の開口側は、例えばアルミニウム薄片から形成された薄片蓋部２４により閉じられ、前記内容物を、前記アルミニウム薄片から押し出しても良い。
【００２９】
図示された実施の形態では、中央部Ｂは、第一の水平方向ｘに並んだ３つの錠剤のそれぞれに対して、７つのブリスター２２の列を有する。そして、端部Ｃは、第一の水平方向ｘに並んだ２つの錠剤に対して、ブリスター２２の７つの列を備える。それぞれのブリスターパック１８Ｂ及び１８Ｃは、ブリスター２２の列を有する。例えば、中央部Ｂ内の錠剤は朝服用し、端部Ｃ内の錠剤は夕刻服用するよう意図されている。錠剤の７つの列は、一週間の７つの日に対応している。それゆえ、ここで、示されているパッケージング１０のバージョンは、一日に２回２、３錠の錠剤を消費する場合の週間パックに対応する。
【００３０】
第一の水平方向ｘに並んだ７つの切り取りストリップ２６は、中央部Ｂの後壁部１４Ｂ及び端部Ｃの後壁部１４Ｃのそれぞれに取り付けられている。ブリスターパック１８Ｂ及び１８Ｃに対応する中央部Ｂの前部１６Ｂ及び端部Ｃの前部１６Ｃは、第二の垂直方向ｙに並んだ３つ若しくは２つの開口スリット４４を有する。ブリスター２２は、前部１６Ｂの後側から、開口スリット４４の縦方向に向いた開口スリット４４へ導入される。開口スリット４４の最大開口部幅ｂは、ブリスターパック１８Ｂ及び１８Ｃ内のそれぞれのブリスター２２の直径と基本的に対応する。前部１６Ｂ及び１６Ｃと、後壁部１４Ｂ及び１４Ｃは、それらの周縁部の少なくとも一部で接合される。また、ブリスターパック１８Ｂ及び１８Ｃは中央部Ｂ及び端部Ｃに含まれ、ブリスターパック１８Ｂ及び１８Ｃは、周縁部１９内に位置し、周縁部１９により領域の範囲が定められ、開口スリット４４の縦方向ｙのみにスライドすることにより移動させても良い。ブリスターパック１８Ｂ及び１８Ｃを移動する可能性をこのように制限すると、錠剤のそれぞれの列は、対極にある２つの位置、つまり閉鎖位置Ｓ及び開放位置Ｏを有することとなる。ブリスターパック１８Ｂ及び１８Ｃの対極にある位置間の変位ｔは、中央部Ｂ及び端部Ｃ内でブリスターパックを移動させる可能性を制限した結果であり、又は、開口スリット４４の長さを対応するように選択した結果である。好ましくは、閉鎖位置Ｓ及び開放位置Ｏ間に狭部４５が存在するように、開口スリット４４を選択する。この狭部４５を設けた結果、閉鎖位置Ｓから開放位置Ｏにブリスター２２を移動させる場合に、摩擦抵抗を超えなければならない。この特徴部即ち、開口スリット４４の狭部４５により、パッケージ１０は、チャイルドプルーフ特性（子供を近づけないという特性）が劇的に増加することとなる。錠剤１２を取り出した後、ブリスターパック１８Ｂ及び１８Ｃを閉鎖位置Ｓに戻し、パッケージ１０を子供を近づけない状態に維持しなければならないのは、明らかである。
【００３１】
ここで示された実施の形態では、端部Ｃのブリスターパック１８Ｃに内の一組のブリスター２２は、それぞれの場合において、互いに水平にずれている。もちろん、この場合において、前部１６Ｃの開口スリットは、形状、及び互いにずれている特徴的部分４４ａ、４４ｂに対応している。
【００３２】
平面図に示されているように、開放位置Ｏにおいて、錠剤１２は、後壁部１４Ｂ及び１４Ｃの切り取りストリップ２６上、若しくは縦方向スリット２７上に一列に配置される。前記縦方向スリット２７は、切り取りストリップ２６により領域を定められる。
【００３３】
図３に示すように、後壁部１４Ｂの内側に内壁部３６が設けられ、前記内壁部は、例えば、カードボードで作られている。同じくカードボードから形成されている内壁部３６は、内壁部の、後壁部１４Ｂに面する側に、ＰＶＣ（ポリ塩化ビニル）の保護層若しくは保護フィルムが設けられることが好ましい。
【００３４】
刻み目により、若しくは、内壁部３６を部分的に打ち抜くことにより、開口部３８を内壁部３６に設けても良い。前記開口部３８は、未開封のパッケージにおいて、例えば、打ち抜き部４０により閉じられる。開口部３８の数と配列は、ブリスターパック１８Ｂにおけるそれぞれのブリスター２２の数及び配列と対応する。中央部Ｂの面を垂直な方向から見ると、開口部３８は、前部１６Ｂ及び１６Ｃ内の、対応する開口スリット４４内に配置される。開口部３８の直径ｍは、錠剤が、大きな努力を要することなく、開口部を押し開けられるように、錠剤１２の直径と対応するように選択される。
【００３５】
パッケージ１０を開封し一日に必要な量の錠剤１２を取り出すことについて、図４〜６により以下に説明する。
中央部Ｂの切り取りストリップ２６を利用できるようにするため、まず、被覆部Ａを、中央部Ｂから切り開く。切り込み３０は、中央部Ｂのサイドの端部から始まっており、切り取りストリップ２６に対して平行な第一の水平方向ｘに並んでいる。この切り込み３０の間に端部３２が形成され、折り曲げ線ｐまで延びている。折り曲げ線ｐに至るように長さ方向に沿って全体に延びる弱部ライン若しくはミシン線２８を介して、前記切り取りストリップ２６は、後壁部１４Ｂに脱着可能なように取り付けられている。端部３２まで延びている切り取りストリップ２６の一部は、前記切り取りストリップ２６をつかむためのフランジとして設計されている。即ち、把持用フランジ３４を端部領域３２に形成するため、切り取りストリップ２６の弱部ライン２８によって、端部３２に穴が開けられている。その結果、把持用フランジ３４は、折り曲げると、フランジ３４が端部３２から外される。即ち、把持用フランジ３４は、そのままの状態に保持され、２つの指の間に容易につかむことができ、そして、前記切り取りストリップ２６を、後壁部１４Ｂの残りの部分から取り外すことができる。
【００３６】
中央部Ｂに対して述べられた手順即ち切り取りストリップ２６を取り外すための手順は、類似的に端部Ｃに適用される。その場合、後壁部１４Ｃの切り込み３０及び形成された端部３２は、すでに自由な状態にある。
【００３７】
切り取りストリップ２６が、一日のうちの所望の時間若しくは所望の日に、適当な後壁部１４Ｂ、１４Ｃから取り外された後、ブリスター２２を、閉鎖位置Ｓから押し出して、開放位置Ｏへ距離ｔだけ移動させる。２本の指が、最も離れて配置されたブリスターとかみ合い、その両指により、同時に力を加えることにより、ブリスターパック１８Ｂ及び１８Ｃが、開口スリット４４と平行に押されて、上記の移動は、前壁部１６Ｂ及び１６Ｃで行われる。
【００３８】
例えば、ブリスター２２を一つだけ押すことにより、スライド移動を試みるならば、ブリスターパック１８Ｂ及び１８Ｃは斜めに傾き、錠剤の列の全部が、切り取りストリップ２６と一致するように動かない。その結果、高々一つのみの錠剤がパックから押し出され、このことにより、子供の安全を改善することができる。それは、小さな子供は、必要とされるブリスターパック１８Ｂ及び１８Ｃの平行移動をほとんど行うことができないためである。必要とされるブリスターパック１８Ｂ及び１８Ｃの平行移動に加えて、開口スリット４４の狭部が、移動に対する抵抗となり、錠剤１２を取り出すために絶対に必要である移動の動作は、小さな子供は行うことができない。
【００３９】
所望の切り取りストリップ２６が取り除かれ、ブリスターが開放位置Ｏに運ばれた後、錠剤は、それぞれのブリスター２２の選択された列から、形成された開口部３８を介して、パッケージ１０から押し出されてもよい。図３に示された具体例において、内壁部３６を形成するカードボードには、保護層４２として作用するＰＶＣフィルムの薄板が取り付けられ、接着され、又は熱密封されている。これにより、一以上の切り取りストリップ２６若しくは後壁部１４Ｂ及び１４Ｃの全部を取り除いた後であっても、内壁部３６の予め打ち抜かれた若しくは刻み目を入れられた開口部３８を、子供が容易にさわることができないため、子供に対する安全は向上する。前記ＰＶＣ層により、小さな子供は、形成された開口部３８を開放したり若しくは引き剥がすことができない。さらに、ＰＶＣ被覆膜により、錠剤を押し出すには、力をさらに加えることが必要となる。もちろん、形成された開口部３８を他の形状にしてもよい。例えば、基本的に三角形の部分を形成する星型カットにより、開口部を形成してもよい。それによって、錠剤を押し出すと、個々の部分は、スパイク付き王冠状に開けられる。同様に、保護層４２として使用されるＰＶＣフィルムに、弱部ラインを形成しても良く、この弱部ラインは後で形成される開口部に対応する。
【００４０】
切り取りストリップ２６を、剥離した際に、切り取りストリップ２６が、その内側にある内壁部３６若しくは保護層４２から分離するように、後壁部１４Ｂ及び１４Ｃを、その内側にある内壁層３６若しくは保護層４２に接合してもよい。
【００４１】
示された具体例において、前部１６Ｂ及び１６Ｃは、後壁部１４Ｂ及び１４Ｃと同様、カードボードから形成されている。後壁部１４Ａ、１４Ｂ及び１４Ｃ並びに前部１６Ｂ及び１６Ｃの引き裂きに対する抵抗を増加させるため、プラスティックなどを含有する薄片、例えば、カードボード／ＰＶＣ薄片を用いても良い。
【００４２】
示された具体例において、開口スリット４４は、前記切り取りストリップ２６に対して垂直に配列されている。開口スリット４４が、切り取りストリップ２６に対して平行に並んでいてもよいことは、明らかである。しかしながら、これは、それぞれのブリスター２２若しくは錠剤１２の方向と、それに対応する開口部３８との基本原則に影響を与えるものではない。
【００４３】
図１とはわずかに異なる実施の形態では、ブリスターパックのブリスターが、カラム状（図面には示されていない）に配列する。図２のように、開口スリットを垂直に配置し、ブリスターパックを垂直に移動させてもよい。この場合、唯一つのブリスターを押し出した場合であっても、ブリスターパックのカラムを傾けることがない。また、この開口スリットを水平に配置し、ブリスターパックを水平に移動させてもよい。この場合も、上記のように、唯一つのブリスターを押し出した場合であっても、ブリスターパックのカラムを傾けることがない。
【００４４】
図７ａ及び図７ｂは、別の発明に係る被覆壁部の具体例を示している。被覆壁部は、内側層５６及び外側層５５を備える多層部５０である。内側層５６は、ブリスターの薄片蓋部に面する。また、外側層５５は、後壁部に面していても良い。内側層５６は、円形に押し開けられるクロージャー５３を備える。この開口クロージャーは、ミシン線５４により画定される。外側層は、開口クロージャー５３と同心円状に配列された円形開口部５７を備える。ここで、開口部５７は、開口クロージャー５３より小さい。外側層５５は、輪状領域６１により特徴付けられ、この輪状領域６１は、開口部５７を囲み、さらに内側層５６に接着されていない。この輪状領域６１は、ミシン線５１により、平面状の外側層５５に形成される。
【００４５】
前記輪状領域６１は、放射状の切り込み部６０を有することが好ましく、この切り込み部６０は、前記輪状領域６１を扇形部５２に分割する。薬剤を押し出すときに、開口クロージャー５３は押し出され、それぞれの扇形部５２は王冠状に開く。
【図面の簡単な説明】
【００４６】
【図１】図１は、錠剤用パッケージを後側から見た平面図であって、前記パッケージは、オープンの状態にある。
【図２】図２は、図１に示されたオープンパッケージを内側から見た平面図である。
【図３】図３は、図１及び２のラインＩ-Ｉに沿った断面図であって、図１及び２に示したパッケージングの断面図である。
【図４】図４は、被覆部を取り除いている途中の、図１に示したパッケージングの斜視図である。
【図５】図５は、被覆部を取り除いた後の、図４に示したパッケージングの一部の平面図である。
【図６】図６は、切り取りストリップを取り外している途中の、図５に示したパッケージングの一部の平面図である。
【図７】図７ａは、内壁部の開口クロージャーの一部を示した平面図であり、図７ｂは、図７ａに示したラインII-IIに沿った断面図であって、図７ａに示した内壁部の断面図である。
【国際公開パンフレット】
2005503964.tif 000003
2005503964.tif 000004
2005503964.tif 000005
2005503964.tif 000006
2005503964.tif 000007
2005503964.tif 000008
2005503964.tif 000009
2005503964.tif 000010
2005503964.tif 000011
2005503964.tif 000012
2005503964.tif 000013
2005503964.tif 000014
2005503964.tif 000015
2005503964.tif 000016
2005503964.tif 000017
2005503964.tif 000018
2005503964.tif 000019
2005503964.tif 000020
2005503964.tif 000021
2005503964.tif 000022
2005503964.tif 000023
2005503964.tif 000024
2005503964.tif 000025
【国際公開パンフレット（コレクトバージョン）】
2005503964.tif 000026
2005503964.tif 000027
【国際調査報告】
2005503964.tif 000028
2005503964.tif 000029
2005503964.tif 000030
2005503964.tif 000031
2005503964.tif 000032